(57)【要約】【課題】片手でクリップ挟着作業を素早く行えて、クリップ挟着作業時の労力的負担を小さくする。【解決手段】先端側を挟持部３、後端側を操作部９にし、中央部に連結突部６、１１を設けた挟持部材を一対用い、両挟持部材２を連結突部６、１１に設けた軸８と軸受穴１２を介して連結し、両挟持部材２の間に両挟持部３を閉じる方向に付勢する閉鎖用ばね部材１３と支持部材を備え付けてクリップ本体を形成する。そして、支持部材で挟着ガイド部材１４を支持し、その挟着ガイド部材１４を両挟持部３の間を通して、クリップ本体より先方に所定の長さ突出させて延設し、その挟着ガイド部材１４の先端に携帯品との連結に用いる先端連結部材１６を連結する。【選択図】        図１
2009106320.tif 000002
【特許請求の範囲】
【請求項１】
先端側を挟持部、後端側を操作部にし、中央部に連結突部を設けた挟持部材を一対用い、その両挟持部材を連結突部に設けた軸とその軸受穴を介して連結し、その両挟持部材の間に両挟持部を閉じる方向に付勢する閉鎖用ばね部材と支持部材を備え付けてクリップ本体を形成し、その支持部材で挟着ガイド部材を支持し、その挟着ガイド部材を両挟持部の間を通して、クリップ本体より先方に所定の長さ突出させて延設し、その挟着ガイド部材の先端に、携帯品との連結に用いる先端連結部材を備え付けることを特徴とする携帯品用挟着ガイド付きクリップストラップ。
【請求項２】
挟着ガイド部材を直線棒状部材にし、その直線棒状部材が通過する両挟持部の相対する両内面に、直線棒状部材が嵌まる受け溝を夫々設けることを特徴とする請求項１記載の携帯品用挟着ガイド付きクリップストラップ。
【請求項３】
挟着ガイド部材を直線棒状ばね部材にすることを特徴とする請求項１記載の携帯品用挟着ガイド付きクリップストラップ。
【請求項４】
支持部材に、挟着ガイド部材が挿通し、先後方向へ自在に移動できる穴径の挿通穴を設け、更にその挟着ガイド部材に挿通穴抜け止め用のストッパを設けることを特徴とする請求項１、２又は３記載の携帯品用挟着ガイド付きクリップストラップ。
【発明の詳細な説明】
【技術分野】
【０００１】
本発明は携帯電話機等の携帯品の落下防止に用いるクリップストラップに関する。
【背景技術】
【０００２】
近年、携帯電話機をスーツ、シャツ、ズボン等のポケットに入れて携帯し、必要に応じて取り出して使用している。しかし、ポケットに入れるだけでは身体を動かした時、特に胸ポケットに入れると、前かがみになった時に抜け出て床上等に落下し易い。そこで、通常は携帯電話機の筐体に設けた穴付き取付部を利用し、そこにクリップを紐の一端に固着したクリップストラップの他端を結び付けて用いている。
【０００３】
このようなクリップとして通常は、先端側を挟持部、後端側を操作部にし、中央部に連結突部を設けた挟持部材を一対用い、その両挟持部材を連結突部に設けた軸とその軸受穴を介して連結し、その両挟持部材の間に両挟持部を閉じる方向に付勢する閉鎖用ばね部材を備え付けた組立体を用いる。又、紐として通常は屈曲自在なものを用いる。すると、そのクリップを構成する一方の挟持部材の先端に穴を設け、その先端穴に紐を通し輪状にしてクリップストラップを製作し、その輪状紐の自由端側を携帯電話機の取付部に結び付けて使用できる。そして、使用時に、携帯電話機を胸ポケットに入れ、クリップをポケットの開口縁部に挟着すると、前かがみになった時等に、携帯電話機がポケットから抜け出ても、クリップストラップの介在により大きく落下せず、床に衝突すること等によって発生する携帯電話機の損傷を防止できる。
【特許文献１】特開平１０−１６４２０１
【発明の開示】
【発明が解決しようとする課題】
【０００４】
しかしながら、このようなクリップストラップは使用時に、胸ポケット等に携帯電話機を入れた後、そのポケットの開口縁部にクリップを挟着させなければならないが、紐が屈曲自在のためガイドの役目をせず、しかもその紐が一方の挟持部材の先端に取り付けられているため、他方の挟持部材が開口縁部の外側になければ円滑に挟持作業が行えないという不都合がある。そこで、片方の手で開口縁部を持ち、他方の手でクリップの両操作部をつまんで、紐付き側の挟持部材が開口縁部の内側に来るように配置して両挟持部を開く必要がある。それ故、クリップ挟着作業を素早く行えず、クリップ挟着作業時の労力的負担が大きく問題がある。
【０００５】
本発明はこのような従来の問題点に着目してなされたものであり、片手でクリップ挟着作業を素早く行えて、クリップ挟着作業時の労力的負担が小さな携帯品用挟着ガイド付きクリップストラップを提供することを目的とする。
【課題を解決するための手段】
【０００６】
上記目的を達成するために、本発明による携帯品用挟着ガイド付きクリップストラップは、先端側を挟持部、後端側を操作部にし、中央部に連結突部を設けた挟持部材を一対用い、その両挟持部材を連結突部に設けた軸とその軸受穴を介して連結し、その両挟持部材の間に両挟持部を閉じる方向に付勢する閉鎖用ばね部材と支持部材を備え付けてクリップ本体を形成する。そして、その支持部材で挟着ガイド部材を支持し、その挟着ガイド部材を両挟持部の間を通して、クリップ本体より先方に所定の長さ突出させて延設し、その挟着ガイド部材の先端に携帯品との連結に用いる先端連結部材を備え付ける。
【０００７】
又、上記挟着ガイド部材を直線棒状部材にし、その直線棒状部材が通過する両挟持部の相対する両内面に、直線棒状部材が嵌まる受け溝を夫々設けると好ましくなる。
又、上記挟着ガイド部材を直線棒状ばね部材にするとよい。
【０００８】
又、上記支持部材に、挟着ガイド部材が挿通し、先後方向へ自在に移動できる穴径の挿通穴を設け、更にその挟着ガイド部材に挿通穴抜け止め用のストッパを設けるとよい。
【発明の効果】
【０００９】
本発明の携帯品用挟着ガイド付きクリップストラップは、クリップ本体の両挟持部材間に備え付けた支持部材で、挟着ガイド部材を支持し、その挟着ガイド部材を両挟持部の間を通して、クリップより先方に所定の長さ突出させて延設し、その挟着ガイド部材の先端に、携帯品との連結に用いる先端連結部材を備え付けることにより、その先端連結部材を携帯電話機等の携帯品の取付部に結び付けると、その携帯品に挟着ガイド付きクリップストラップを備え付けることができる。そして、スーツの胸ポケット等に携帯品を収納する場合、携帯品とクリップ本体とを連結する挟着ガイド部材と先端連結部材の長さを選んでおくと、その携帯品をポケットに入れた時に、クリップ本体をポケットの開口縁部の外側近傍に配置できる。
【００１０】
そこで、クリップ本体を把持し、そのクリップ本体の先端から突出する挟着ガイド部材を、ポケットの開口縁部の内側に当て、外側に向けて押し付けながら、ポケットの奥側にスライドさせると共に、クリップ本体の両操作部をつまんで、両挟持部を拡開させる。すると、クリップ本体の両挟持部が挟着ガイド部材を中心にして両側に夫々開くので、常に外側に向けた挟持部と挟着ガイド部材の間に、ポケットの開口縁部が円滑に嵌まる。そして、ポケットの開口縁部を挟着ガイド付きクリップの外側挟持部と挟着ガイド部材の間に挟んで、挟着ガイド付きクリップを挟着できる。それ故、携帯品の落下による損傷を防止できる。このようにして、携帯品をポケットに入れ、その開口縁部を挟着ガイド付きクリップにて挟着するまでの一連の作業は、全て片手のみの手探りにて行える。それ故、片手にてクリップ挟着作業を素早く行えると共に、挟着作業時の労力的負担が小さく、好都合である。
【００１１】
又、上記挟着ガイド部材を直線棒状部材にし、その直線棒状部材が通過する両挟持部の相対する両内面に、ガイド部材が嵌まる受け溝を夫々設けることにより、ポケットの開口縁部を挟着ガイド付きクリップの外側挟持部と直線棒状部材の間に嵌めて挟むと、その直線棒状部材が内側挟持部の内面に設けた受け溝に嵌まる。それ故、ポケットの開口縁部を挟着ガイド付きクリップの外側挟持部と直線棒状部材及び内側挟持部により挟んで、その挟着ガイド付きクリップを良好に挟着できる。
又、上記挟着ガイド部材を直線棒状ばね部材にすることにより、ばねの屈曲性と復元力を利用して、ポケットの開口縁部における挟着ガイド付きクリップの止め位置を選択し易く、クリップ挟着作業を行い易くなる。
【００１２】
又、上記支持部材に、挟着ガイド部材が挿通し、先後方向へ自在に移動できる穴径の挿通穴を設け、更にその挟着ガイド部材に挿通穴抜け止め用のストッパを設けることにより、クリップ本体より先方に突出する挟着ガイド部材の長さを可変にできると共に、ポケットへの携帯品収納時には、挟着ガイド部材を携帯品の重さにより、クリップ本体よりストッパによる制限を受けるまで適宜引き出して、同様に使用できる。それ故、ポケットが浅くても使用し易くなる。
【発明を実施するための最良の形態】
【００１３】
以下、添付の図１〜４を参照にして、本発明の実施の最良形態を説明する。
図１は本発明を適用した携帯品用固定型挟着ガイド付きクリップストラップの左側面図、図２はその携帯品用固定型挟着ガイド付きクリップストラップの平面図である。この携帯品用固定型挟着ガイド付きクリップストラップ１は、従来から市販されている各種の鰐口クリップと基本構造を大略同一構造にする。そこで、挟持部材２として、先端側を先端の幅を狭くした台形状し、中央部から後端側を長方形状にした板状体を一対用いる。そして、一方の挟持部材２ａの先端側を挟持部３にし、その挟持部３の先端部内面に、先端から後端に向って歯状突条４を複数列例えば４列配設する。
【００１４】
又、その挟持部材２ａの内面中央部の両縁付近を除く中央箇所５に、その両縁寄り内面に対し垂直方向に突出する先端が半円弧状の連結突部６、６を夫々設ける。そして、その両連結突部６の内面間に押し込み挟持させて、後述する挟着ガイド部材を支持させるための中央支持部材７を備え付ける。なお、挟持部材２ａの内面と中央支持部材７との間には少し隙間を設ける。又、両連結突部６の各外面中央に、その外面に対し垂直方向に突出する軸用突起８を夫々設ける。又、挟持部材２ａの後端側を操作部９にし、その操作部９の後端部内面の中央に、その内面に対し垂直方向に突出し、後述する閉鎖用ばね部材の一端部に係合する係合突起１０を設ける。なお、各軸用突起８として棒状体を用い、両連結突部６に夫々備え付けてもよい。
【００１５】
又、他方の挟持部材２ｂを対となる挟持部材２ａとほぼ同一構造にし、やはり先端側を挟持部材３にして、その挟持部材３の先端部内面に、歯状突条４を４列配設する。しかし、挟持部材２ｂの内面中央部には、その両縁付近のみに、内面に対し垂直方向に突出する先端が円弧状の連結突部１１、１１を夫々設ける。そして、両連結突部１１の各中央に、内外面を貫く穴を夫々設け、その各貫通穴を挟持部材２ａの軸用突起８が嵌まる軸受穴１２にする。又、挟持部材２ｂの後端側を操作部９にし、その操作部９の後端部内面の中央に、その内面に対し垂直方向に突出し、後述する閉鎖用ばね部材の他端部に係合する係合突起１０を設ける。
【００１６】
そこで、両挟持部材２の連結突部６、１１に設けた軸用突起８と軸受穴１２とを対応するもの同士嵌め合せ、更にその両操作部９の間に、両挟持部３を閉じる方向に付勢する閉鎖用ばね部材１３として、例えば圧縮コイルスプリングをその両端部内に係合突起１０を夫々嵌めて備え付ける。すると、従来から市販されている鰐口クリップとほぼ同一構造を有する鰐口クリップの本体が完成する。
【００１７】
しかも、このようなクリップ本体を構成する中央支持部材７を柱状体にし、挟着ガイド部材例えば金属製直線棒状部材１４の中央部を支持する部材として用いる。そこで、中央支持部材７の例えば成形時に、柱状体の先後両面の中央を貫く穴を設け、その穴内に直線棒状部材１４を挿通し固着して備え付ける。すると、中央支持部材７はある程度の弾力性を有するようになる。そして、中央支持部材７で支えた直線棒状部材１４の先端側を両挟持部３の間を通して、クリップ本体より先方に所定の長さ、例えば１ｃｍ突出させて延設する。又、直線棒状部材１４の後端部を圧縮コイルスプリング１３の中央に差し込んで固着し、そのスプリング１３を後端支持部材として用い支持力を増加させる。なお、中央支持部材７に貫通穴を穿設し、そこに直線棒状部材１４を挿通させて固着することもできる。
【００１８】
又、両挟持部材２の例えば成形時に、各挟持部３の内面に先端から後端まで中央を貫き、直線棒状部材１４が嵌まり、その棒状部材１４の直径に等しい又は直径より短い深さを有する受け溝１５を夫々設ける。すると、固定型の挟着ガイド付きクリップが完成する。そこで、更に直線棒状部材１４の先端に携帯品との連結に用いる先端連結部材として、所定の長さ例えば７ｃｍの屈曲自在な結び付け紐１６の一端を連結する。その際、両者の連結部材として例えばプラスチック製チューブ１７を用い、直線棒状部材１４と紐１６との両連結端部を覆い収縮結合させて、両者を強固に結合する。すると、携帯品用固定型挟着ガイド付きクリップストラップ１が完成する。
【００１９】
使用時、携帯品用固定型挟着ガイド付きクリップストラップ１の先端連結部材たる結び付け紐１６の先端側を、携帯品例えば携帯電話機（図示なし）の取付部に結び付ける。すると、その携帯電話機に挟着ガイド付きクリップストラップ１を備え付けことができる。そして、スーツの胸ポケットに携帯電話機を収納する場合、直線棒状部材１４と結び付け紐１６の長さを選んでおくと、携帯電話機をポケットに入れた時に、クリップ本体をポケットの開口縁部の外側近傍に配置できる。
【００２０】
そこで、クリップ本体を把持し、そのクリップ本体の先端から突出する直線棒状部材１４をポケットの開口縁部の内側に当て、外側に向けて押し付けながら下方にスライドさせる。又、同時にクリップ本体の両操作部９をつまんで、両挟持部３を拡開させる。すると、両挟持部３が直線棒状部材１４を中心にして両側に夫々開くので、常に外側に向けた挟持部３と直線棒状部材１４との間に、ポケットの開口縁部が円滑に嵌まる。
【００２１】
そして、図３に示すようにポケット１８の開口縁部１９を挟着ガイド付きクリップの外側挟持部３と直線棒状部材１４との間に挟んで、挟着ガイド付きクリップを挟着できる。それ故、携帯電話機がポケット１８から抜け出ても、挟着ガイド付きクリップストラップ１を介して開口縁部に結合しているので、大きく落下せず、床に直接衝突し或いは水中への落下等によって発生する携帯電話機の損傷を防止できる。なお、２０はスーツ本体である。このようにして、携帯電話機をポケット１８に入れ、その開口縁部１９を挟着ガイド付きクリップにて挟着するまでの一連の作業は、全て片手のみの手探りで行える。それ故、片手でクリップ挟着作業を素早く行えると共に、挟着作業時の負担が小さくなって好都合である。
【００２２】
しかも、成形時等において、直線棒状部材１４が通過する両挟持部３の相対する両内面に、直線棒状部材１４が嵌まる受け溝１５を夫々設けておくと、ポケット１８の開口縁部１９を挟着ガイド付きクリップの外側挟持部３と直線棒状部材１４との間に嵌めて挟み込むことにより、その直線棒状部材１４が内側挟持部３の内面に設けた受け溝１５に嵌まる。それ故、ポケット１８の開口縁部１９を挟着ガイド付きクリップの外側挟持部３と直線棒状部材１４及び内側挟持部３により挟んで、その挟着ガイド付きクリップを良好に挟着できる。
【００２３】
上記実施の形態では、挟着ガイド部材として金属製直線棒状部材１４を用いたが、その直線棒状部材１４に金属製直線棒状ばね部材を用い、或いはプラスチック製直線棒状部材を用いて直線棒状部材をばね部材にすると、ばねの屈曲性と復元力を利用して、ポケット１８の開口縁部１９における挟着ガイド付きクリップの止め位置を選択し易く、クリップ挟着作業が行い易くなる。
【００２４】
又、直線棒状部材として直線管状部材を用い、更に先端連結部材として結び付け紐を用いると、その紐を直線管状部材内を通過させて先端から引き出して、適宜紐の長さ調節を行うことができる。
【００２５】
なお、上記実施の形態では、直線棒状部材１４の先端に先端連結部材として結び付け紐１６をそのままの状態で連結させる場合について説明したが、結び付け紐を輪状にして、その一部を連結端部にすることもできる。
【００２６】
又、上記実施の形態では中央支持部材７として柱状体を用い、その支持部材７に挟着ガイド部材たる直線棒状部材１４又は直線棒状ばね部材を挿通し固着して固定する場合について説明したが、クリップ本体に備え付ける挟着ガイド部材を移動型にして、図４に示すような携帯品用移動型挟着ガイド付きクリップストラップ２１を構成することができる。このクリップストラップ２１でもクリップ本体２２に、上述したクリップストラップ１のクリップ本体に備え付けた柱状の中央支持部材７と同様の支持部材（図示なし）を同様に備え付ける。しかし、クリップ本体２２の支持部材に設ける挿通穴の穴径を挟着ガイド部材２３が穴内をスライドしながら、先後方向へ自在に移動できる大きさにする。又、両挟持部材２４(２４ａ、２４ｂ)の間に、両挟持部２５を閉じる方向に付勢する閉鎖用ばね部材として、板ばね２６を備え付け、その板ばね２６の中央にも挟着ガイド部材２３が穴内をスライドしながら先後方向へ自在に移動できる挿通穴２７を設ける。
【００２７】
そして、挟着ガイド部材２３の後端部に挿通穴抜け止め用のストッパとしてコイル状リング２８を備え付けると共に、先端部を拡張して挿通穴抜け止めストッパ２９にする。又、その先端ストッパ２９の先端部に貫通穴３０を設け、そこに先端連結部材としてコイル状リング３１を備え付ける。なお、後端ストッパたるリング２８をキーホルダ等の止め部として使える。
【００２８】
このようにして、クリップ本体２２に備え付ける挟着ガイド部材２３を移動型にすると、クリップ本体２２より先方に突出する挟着ガイド部材２３の長さを可変にできると共に、ポケットへの携帯品収納時には、挟着ガイド部材２３を携帯品の重さにより、クリップ本体２２より後端ストッパ２８による制限を受けるまで適宜引き出して、同様に使用できる。それ故、ポケットが浅くても使用し易くなる。
【図面の簡単な説明】
【００２９】
【図１】本発明を適用した携帯品用固定型挟着ガイド付きクリップストラップの左側面図である。
【図２】同携帯品用固定型挟着ガイド付きクリップストラップの平面図である。
【図３】同携帯品用固定型挟着ガイド付きクリップストラップをスーツの胸ポケットに使用した状態を示す部分図である。
【図４】本発明を適用した携帯品用移動型挟着ガイド付きクリップストラップの左側面図である。
【符号の説明】
【００３０】
１、２１…携帯品用挟着ガイド付きクリップストラップ  ２、２４…挟持部材  ３、２５…挟持部  ４…歯状突条  ５…中央箇所  ６、１１…連結突部  ７…中央支持部材  ８…軸用突部  ９…操作部  １２…軸受穴  １３、２６…閉鎖用ばね部材  １４、２３…挟着ガイド部材  １５…受け溝  １６、３１…先端連結部材  １７…連結部材  １８…胸ポケット  １９…開口縁部  ２０…スーツ本体  ２２…クリップ本体  ２８…後端ストッパ  ２９…先端ストッパ
【図１】
2009106320.tif 000003
【図２】
2009106320.tif 000004
【図３】
2009106320.tif 000005
【図４】
2009106320.tif 000006